(57)【要約】【課題】合成樹脂管を容易に着脱可能な合成樹脂管用継手を提供すること。【解決手段】合成樹脂管用継手は、円筒状の本体部の一端部に形成したフランジ部に操作部材が取り付けられ、操作部材側から差込まれた合成樹脂管をグリップする環状のグリップ部材をフランジ部と操作部材の間に備えている。有底円筒状の操作部材はグリップ部材を収容すると共に合成樹脂管を挿通させ、グリップ部材は周方向に分割された複数の分割グリップ部材で構成され、分割グリップ部材は内周部に複数の係合歯を備えている。操作部材の底壁部内壁又はその内壁に対向する複数の分割グリップ部材の対向面部の何れか一方に設けられた突起部を他方に設けられた円孔溝に係合させてカム機構が構成されている。カム機構が操作部材の回動操作を複数の分割グリップ部材の径方向の移動に変換して、複数の係合歯が合成樹脂管をグリップしたグリップ状態とグリップ解除状態とに切替える。【選択図】図２
2019190575.tif 000002
【特許請求の範囲】
【請求項１】
円筒状の本体部と、前記本体部の一端部に形成されたフランジ部と、前記フランジ部に取り付けられた操作部材と、前記操作部材側から前記本体部に差込まれた合成樹脂管をグリップするために前記フランジ部と前記操作部材の間に配設された環状のグリップ部材を備えた合成樹脂管用継手において、
前記操作部材は、有底円筒状に形成されて円筒部内に前記グリップ部材を収容し且つ底壁部の中央に合成樹脂管を挿通するための開口部を備え、
前記グリップ部材は周方向に分割された複数の分割グリップ部材によって構成され、
前記分割グリップ部材は内周部に合成樹脂管をグリップするための複数の係合歯を備え、
前記操作部材の前記底壁部の内壁又は前記内壁に対向する複数の前記分割グリップ部材の対向面部の何れか一方に設けられた突起部を他方に設けられた円孔溝に係合させたカム機構を有し、
前記カム機構は、前記操作部材の回動操作により複数の前記分割グリップ部材を径方向に移動させて、前記複数の係合歯が合成樹脂管をグリップしたグリップ状態とグリップ解除状態とに切替え可能に構成されたことを特徴とする合成樹脂管用継手。
【請求項２】
複数の前記分割グリップ部材を径方向に案内するために、前記フランジ部と複数の前記分割グリップ部材の間に、前記フランジ部と複数の前記分割グリップ部材の何れか一方に設けられたガイド突起を他方に設けられた径方向に延びるガイド溝に係合させたガイド機構を備えたことを特徴とする請求項１に記載の合成樹脂管用継手。
【請求項３】
前記本体部と前記操作部材には、前記グリップ状態及び前記グリップ解除状態を維持するための周方向位置決め部を備えたことを特徴とする請求項１又は２に記載の合成樹脂管用継手。
【発明の詳細な説明】
【技術分野】
【０００１】
本発明は、給湯システム等に使用される合成樹脂配管を接続するための継手に関する。
【背景技術】
【０００２】
従来から、給湯システムに使用される湯水配管は、水圧に応じて高圧箇所には金属管が使用され、低圧箇所には合成樹脂管が使用されている。給湯システムを構成する機器に合成樹脂管を接続するための継手は、施工現場で容易に接続できるように構成されている。
【０００３】
例えば特許文献１のように、合成樹脂管を継手に差し込んだ状態でリングカバーを締め込むことにより、テーパ形状のスリーブが合成樹脂管の外周に当接するグリップリングを縮径させてグリップリングを合成樹脂管に食い込ませて連結する合成樹脂管用継手が知られている。
【先行技術文献】
【特許文献】
【０００４】
【特許文献１】特許第４４２４８０９号公報
【発明の概要】
【発明が解決しようとする課題】
【０００５】
給湯システムの施工現場では、配管等の接続が完了すると漏水の有無を確認する。そして、ごみの付着や傷のために合成樹脂管を接続した継手で漏水がある場合には、合成樹脂管の接続をやり直す。しかし、特許文献１の合成樹脂管用継手は、グリップリングを開く機構が無いので、リングカバーを緩めて合成樹脂管を外しても食い込んだグリップリングが元に戻らない。それ故、グリップリングが付いている合成樹脂管端部を切除すると共に新たなグリップリングを付け直す必要があり、連結のやり直しは容易ではない。また、一般に流通している合成樹脂管用継手には、一旦連結した合成樹脂管を外すことができないものもあり、連結のやり直しのためには合成樹脂管用継手ごと交換する必要があるので、連結のやり直しは容易ではない。
【０００６】
本発明の目的は、合成樹脂管を容易に着脱可能な合成樹脂管用継手を提供することである。
【課題を解決するための手段】
【０００７】
請求項１の発明は、円筒状の本体部と、前記本体部の一端部に形成されたフランジ部と、前記フランジ部に取り付けられた操作部材と、前記操作部材側から前記本体部に差込まれた合成樹脂管をグリップするために前記フランジ部と前記操作部材の間に配設された環状のグリップ部材を備えた合成樹脂管用継手において、前記操作部材は、有底円筒状に形成されて円筒部内に前記グリップ部材を収容し且つ底壁部の中央に合成樹脂管を挿通するための開口部を備え、前記グリップ部材は周方向に分割された複数の分割グリップ部材によって構成され、前記分割グリップ部材は内周部に合成樹脂管をグリップするための複数の係合歯を備え、前記操作部材の前記底壁部の内壁又は前記内壁に対向する複数の前記分割グリップ部材の対向面部の何れか一方に設けられた突起部を他方に設けられた円孔溝に係合させたカム機構を有し、前記カム機構は、前記操作部材の回動操作により複数の前記分割グリップ部材を径方向に移動させて、前記複数の係合歯が合成樹脂管をグリップしたグリップ状態とグリップ解除状態とに切替え可能に構成されたことを特徴としている。
【０００８】
上記構成によれば、操作部材の回動操作によって、グリップ状態とグリップ解除状態に容易に切換えることができるので、合成樹脂管を容易に着脱可能である。従って、合成樹脂管の接続やそのやり直しを容易に行うことができ、作業者の負担を軽減することができる。
【０００９】
請求項２の発明は、請求項１の発明において、複数の前記分割グリップ部材を径方向に案内するために、前記フランジ部と複数の前記分割グリップ部材の間に、前記フランジ部と複数の前記分割グリップ部材の何れか一方に設けられたガイド突起を他方に設けられた径方向に延びるガイド溝に係合させたガイド機構を備えたことを特徴としている。
【００１０】
上記構成によれば、ガイド機構は、複数の分割グリップ部材の径方向の移動を案内すると共に径方向以外の移動を規制するので、グリップ状態とグリップ解除状態に容易に切換えることができる。
【００１１】
請求項３の発明は、請求項１又は２の発明において、前記本体部と前記操作部材には、前記グリップ状態及び前記グリップ解除状態を維持するための周方向位置決め部を備えたことを特徴としている。
【００１２】
上記構成によれば、接続した合成樹脂管のグリップ状態を維持して給湯システム施工後の合成樹脂管の抜けを防ぐと共に、グリップ解除状態を維持して合成樹脂管の接続を容易にすることができる。また、作業者にグリップ状態又はグリップ解除状態を視覚、聴覚、触覚によって認識させることができる。
【発明の効果】
【００１３】
本発明の合成樹脂管用継手によれば、合成樹脂管を容易に着脱可能である。
【図面の簡単な説明】
【００１４】
【図１】本発明の実施例に係る合成樹脂管用継手の斜視図である。
【図２】図１のII−II線断面図である。
【図３】図１の合成樹脂管用継手の要部分解斜視図である。
【図４】図２と異なる方向から見た合成樹脂管用継手の要部分解斜視図である。
【図５】操作部材の底壁部をグリップ部材側から見た平面図である。
【図６】グリップ状態の合成樹脂管用継手を操作部材側から見た要部透視図である。
【図７】グリップ解除状態の合成樹脂管用継手を操作部材側から見た要部透視図である。
【発明を実施するための形態】
【００１５】
以下、本発明を実施するための形態について実施例に基づいて説明する。
【実施例】
【００１６】
給湯システムを構成する機器間を接続する合成樹脂管（例えばポリエチレン管、ポリブデン管）は、施工現場でその機器内部配管の端部に配設された合成樹脂管用継手１に接続する作業が行われる。図１〜図５に示すように、合成樹脂管用継手１は、例えば内部配管Ｕの端部に嵌合固定される円筒状の本体部２と、本体部２の一端部（内部配管Ｕと反対側の端部）に形成されたフランジ部３と、本体部２と同軸状に且つフランジ部３に外嵌状に取り付けられた操作部材１０と、操作部材１０側から本体部２に差込まれた合成樹脂管Ｔをグリップするために本体部２と同軸状に配設された環状のグリップ部材２０を備えている。
【００１７】
本体部２は、その内部に、本体部２の軸心Ｃと同軸の円筒状のインナー部材４と、環状に形成されてインナー部材４に外嵌された複数のシール部材５と、複数のシール部材５を軸心方向に離隔させるために環状に形成された複数のバックアップリング６を収容している。本体部２に差込まれた合成樹脂管Ｔは、インナー部材４に形成されたインナーフランジ部４ａによって内部配管Ｕ側への進入が規制される。インナー部材４の外周部と複数のシール部材５の内周部及び複数のバックアップリング６の内周部の間に進入した合成樹脂管Ｔは、操作部材１０の操作によってグリップ部材２０をグリップさせて本体部２に差込まれた状態を維持する。
【００１８】
操作部材１０は、有底円筒状に形成されて円筒部１１の外周に複数の滑り止めの溝が設けられ、円筒部１１内に環状のグリップ部材２０を収容する。操作部材１０の底壁部１２の中央には、合成樹脂管Ｔを挿通するための開口部１３が設けられている。底壁部１２と反対側の円筒部１１の端部内壁には、フランジ部３に係合させるための１対の係合爪１４が対向するように形成されている。底壁部１２は、回動操作時の応力に十分耐え得る強度を確保するためのリブを備えているが、底壁部１２を厚く形成してもよい。
【００１９】
環状のグリップ部材２０は、本体部２のフランジ部３と操作部材１０の底壁部１２の間に軸心Ｃと同軸に配設され、操作部材１０の開口部１３に挿通させた合成樹脂管Ｔがこのグリップ部材２０を挿通して本体部２に差し込まれる。このグリップ部材２０は、周方向に分割された複数の分割グリップ部材２１によって環状に構成され、例えば周方向の長さが等しくなるように２分割された２つの分割グリップ部材２１を並べて環状に構成されている。
【００２０】
各分割グリップ部材２１は、その内周部に合成樹脂管Ｔに食い込むように形成された複数の係合歯２２ａを備えた金属製の薄板部材２２と、薄板部材２２を支持する例えば合成樹脂製の支持部材２３によって構成されている。複数の分割グリップ部材２１を径方向に互いに接近又は離隔するように移動させることによって、環状のグリップ部材２０を挿通する合成樹脂管Ｔを抜けないようにグリップするグリップ状態とグリップ解除状態を切替える。
【００２１】
操作部材１０の底壁部１２の内壁又は底壁部１２に対向する複数の分割グリップ部材２１の対向面部の何れか一方に設けられた突起部を他方に設けられた円孔溝に係合させたカム機構を有している。例えば、２つの分割グリップ部材２１が底壁部１２に対向する対向面部の外周側周方向中央位置に底壁部１２側に突出した円柱状の突起部２４を夫々備え、その突起部２４に対応するように操作部材１０の底壁部１２の内壁に分割グリップ部材２１と同数の２つの円孔溝１５が形成されている。
【００２２】
各円孔溝１５は、グリップ部材２０側から見て時計回り方向に進むにつれて軸心Ｃからの距離（軸心Ｃが通る底壁部１２の中心からの距離）が小さくなるように、突起部２４が進入可能な幅でグリップ状態とグリップ解除状態を切替える回動操作に対応する操作部材１０の回動角（例えば７０度）に応じた長さに形成されている。この突起部２４と円孔溝１５の係合により構成されたカム機構は、操作部材１０の回動操作によって突起部２４が円孔溝１５に沿って摺動して分割グリップ部材２１が径方向に移動するように、操作部材１０の回動を分割グリップ部材２１の径方向の移動に変換している。
【００２３】
図示を省略するが、円孔溝が各分割グリップ部材２１に形成され、操作部材１０の底壁部１２の内壁にその円孔溝に対応した分割グリップ部材２１と同数の突起部が形成されていてもよい。この場合、円孔溝は、操作部材１０側から見て時計回り方向に進むにつれて軸心Ｃからの距離が小さくなるように形成される。
【００２４】
複数の分割グリップ部材２１を径方向に案内するために、フランジ部３と複数の分割グリップ部材２１の間に、フランジ部３と複数の分割グリップ部材２１の何れか一方に設けられたガイド突起を他方に設けられた径方向に延びるガイド溝に係合させたガイド機構を備えている。ガイド機構は、ガイド溝に係合させたガイド突起をガイド溝に沿って摺動させて分割グリップ部材２１の径方向の移動を案内し、分割グリップ部材２１の径方向以外の移動を規制している。
【００２５】
例えば、分割グリップ部材２１の支持部材２３には、フランジ部３側に突出した径方向に延びるガイド突起２３ａが形成され、フランジ部３の分割グリップ部材２１側には、分割グリップ部材２１と同数の径方向に延びるガイド溝３０ａが形成されたガイド部材３０が装着されて、ガイド機構を構成している。図示を省略するが、ガイド部材３０を省略してガイド溝をフランジ部３に形成することにより、ガイド機構を構成してもよい。また、これも図示を省略するが、ガイド溝を各分割グリップ部材２１に形成し、ガイド溝に対応するガイド突起をフランジ部３又はフランジ部３に装着するガイド部材３０に形成してガイド機構を構成してもよい。
【００２６】
ガイド機構を構成するグリップ部材２０、フランジ部３、ガイド部材３０は、操作部材１０をフランジ部３に取り付ける際に１対の係合爪１４に干渉しないように、グリップ部材２０の１対の切欠き部２０ｂ、フランジ部３の１対の切欠き部３ｂ、ガイド部材３０の１対の切欠き部３０ｂを外周部に備え、これらの周方向位置を一致させている。尚、操作部材１０を弾性変形させてフランジ部３に取り付け可能な場合にはこれらの切欠き部を省略してもよい。
【００２７】
本体部２の外周部には、係合突起７が設けられている。操作部材１０は、円筒部１１の底壁部１２と反対側の端部からその軸心Ｃに平行に延設された第１係合部１７と第２係合部１８を備えている。第１，第２係合部１７，１８の内周側には、軸心Ｃに平行に形成された係合溝を夫々備えている。操作部材１０をフランジ部３に取り付けた状態で、第１係合部１７又は第２係合部１８の係合溝と係合突起７が係合可能に構成され、第１，第２係合部１７，１８は夫々グリップ状態とグリップ解除状態に対応する周方向位置に形成されている。これら係合突起７と第１係合部１７の係合によってグリップ状態を維持し、係合突起７と第２係合部１８の係合によってグリップ解除状態を維持する周方向位置決め部が構成されている。
【００２８】
例えば、円筒状の本体部２の軸心Ｃを水平に且つ係合突起７が外周部の最も高い位置となる姿勢で、径方向に延びる２つのガイド溝３０ａを上下方向に一致させて２つの分割グリップ部材２１を上下方向に移動可能なように配設して操作部材１０を取り付ける。図６に示すように、この合成樹脂管用継手１を操作部材１０側から見て時計回り方向に操作部材１０を回動して２つの分割グリップ部材２１を互いに近づけ当接させてグリップ状態にしたときに、操作部材１０の最も高い位置にグリップ状態に対応する第１係合部１７が位置し、周方向位置決め部の係合突起７と第１係合部１７が係合する。そして、図７に示すように、操作部材１０を反対方向に回動して２つの分割グリップ部材２１を互いに最大限離隔させてグリップ解除状態にしたときに、操作部材１０の最も高い位置にグリップ解除状態に対応する第２係合部１８が位置し、周方向位置決め部の係合突起７と第２係合部１８が係合する。
【００２９】
周方向位置決め部は、作業者にグリップ状態又はグリップ解除状態を視覚によって認識させると共に、係合突起７に第１係合部１７又は第２係合部１８が係合する際に発生する音や振動によって聴覚や触覚を通じて容易に認識させることができる。
【００３０】
以上のように、操作部材１０の回動操作によって、グリップ状態とグリップ解除状態に容易に切換えることができるので、合成樹脂管Ｔを容易に着脱可能である。従って、合成樹脂管Ｔの接続やそのやり直しを容易に行うことができ、作業者の負担を軽減することができる。また、ガイド機構は、複数の分割グリップ部材２１の径方向の移動を案内すると共に径方向以外の移動を規制するので、カム機構による変換を支援してグリップ状態とグリップ解除状態を切換えることができる。
【００３１】
その上、周方向位置決め部によって、接続した合成樹脂管Ｔのグリップ状態を維持して給湯システム施工後のグリップ部材２０の緩みを防ぐと共に、グリップ解除状態を維持して合成樹脂管Ｔの接続を容易にすることができ、作業者がグリップ状態又はグリップ解除状態を視覚、聴覚、触覚によって認識でさせることができる。
【００３２】
環状のグリップ部材２０の分割数は３分割以上にすることもできる。この場合、より多くの径方向から合成樹脂管Ｔをグリップするので、グリップ力の向上を図ることができる。その他、当業者であれば、本発明の趣旨を逸脱することなく前記実施例に種々の変更を付加した形態で実施可能であり、本発明はその種の変更形態をも包含するものである。
【符号の説明】
【００３３】
１      ：合成樹脂管用継手
２      ：本体部
３      ：フランジ部
３ｂ    ：切欠き部
４      ：インナー部材
５      ：シール部材
６      ：バックアップリング
７      ：係合突起
１０    ：操作部材
１１    ：円筒部
１２    ：底壁部
１３    ：開口部
１４    ：係合爪
１５    ：円孔溝
１７    ：第１係合部
１８    ：第２係合部
２０    ：グリップ部材
２０ｂ  ：切欠き部
２１    ：分割グリップ部材
２２    ：薄板部材
２２ａ  ：係合歯
２３    ：支持部材
２３ａ  ：ガイド突起
２４    ：突起部
３０    ：ガイド部材
３０ａ  ：ガイド溝
３０ｂ  ：切欠き部
【図１】
2019190575.tif 000003
【図２】
2019190575.tif 000004
【図３】
2019190575.tif 000005
【図４】
2019190575.tif 000006
【図５】
2019190575.tif 000007
【図６】
2019190575.tif 000008
【図７】
2019190575.tif 000009